(57)【要約】【課題】  フィルムキャリアテープの不良部分を切断する際、フィルム接合装置の外側に位置する切断部が自由になることによる切断部が作業台や床に垂れるのを防止し、フィルムキャリアテープの汚染、異物付着、折れ、インナーリード曲がり等が発生することのないフィルム切断装置およびフィルム切断装置を用いたフィルム切断方法を提供すること。【解決手段】  フィルムの幅方向両端部に合わせて、接着テープを切断するように構成したフィルム接合装置の側端部に備えられたフィルム切断装置であって、フィルム切断装置が、上部フィルム切断刃部と下部フィルム切断刃部から成る一対のフィルム切断刃部材と、上部フィルム切断刃部の側部に設けられた上部フィルム保持部と、下部フィルム切断刃部の側部に設けられた下部フィルム保持部とを備え、フィルムを一対のフィルム切断刃部材で切断する際に、フィルムのフィルム接合装置の外側に位置する切断部の上下面を上部フィルム保持部と前記下部フィルム保持部との間で挟持する。【選択図】  図１
2006192517.tif 000002
【特許請求の範囲】
【請求項１】
フィルムの端部同士を突き合わせた状態で、前記フィルムの端部同士を接着テープで相互に接着するとともに、
前記フィルムのスプロケット孔に合わせて接着テープにスプロケット孔を穿孔し、
前記フィルムの幅方向両端部に合わせて、接着テープを切断するように構成したフィルム接合装置の側端部に備えられたフィルム切断装置であって、
前記フィルム切断装置が、
上部フィルム切断刃部と下部フィルム切断刃部から成る一対のフィルム切断刃部材と、
前記上部フィルム切断刃部の側部に設けられた上部フィルム保持部と、
前記下部フィルム切断刃部の側部に設けられた下部フィルム保持部とを備え、
前記フィルムを前記一対のフィルム切断刃部材で切断する際、前記フィルムの前記フィルム接合装置の外側に位置する切断部の上下面を前記上部フィルム保持部と前記下部フィルム保持部との間で挟持するよう構成されていることを特徴とするフィルム切断装置。
【請求項２】
フィルム接合作業の際には、前記上部フィルム切断刃部を下部フィルム切断刃部の固定位置に収納した状態で使用し、
前記フィルムの裏面が上部フィルム保持部の上面に載置されるように構成されていることを特徴とする請求項１に記載のフィルム切断装置。
【請求項３】
前記下部フィルム保持部が、
上下方向に位置調整可能に構成されていることを特徴とする請求項１または２に記載のフィルム切断装置。
【請求項４】
前記下部フィルム保持部に調整用長穴を設け、
前記調整用長穴を介して、
前記下部フィルム保持部を前記下部フィルム切断刃部に締結部材により、
上下方向に位置調整可能に装着されていることを特徴とする請求項３に記載のフィルム切断装置。
【請求項５】
前記上部フィルム保持部が、
上下方向に位置調整可能に構成されていることを特徴とする請求項１から４のいずれかに記載のフィルム切断装置。
【請求項６】
前記上部フィルム保持部に調整用長穴を設け、
前記調整用長穴を介して、
前記上部フィルム保持部を前記上部フィルム切断刃部に締結部材により、
上下方向に位置調整可能に装着されていることを特徴とする請求項５に記載のフィルム切断装置。
【請求項７】
前記下部フィルム保持部が、
付勢部材を介して前記上部フィルム保持部側に付勢されるよう前記フィルム接合装置に装着されていることを特徴とする請求項１から４のいずれかに記載のフィルム切断装置。
【請求項８】
前記上部フィルム保持部が、
付勢部材を介して前記下部フィルム保持部側に付勢されるよう前記上部フィルム切断刃部に装着されていることを特徴とする請求項１から４のいずれかに記載のフィルム切断装置。
【請求項９】
前記フィルムが、
電子部品実装用フィルムキャリアテープであることを特徴とする請求項１から８のいずれかに記載のフィルム切断装置。
【請求項１０】
フィルムの端部同士を突き合わせた状態で、前記フィルムの端部同士を接着テープで相互に接着するとともに、
前記フィルムのスプロケット孔に合わせて接着テープにスプロケット孔を穿孔し、
前記フィルムの幅方向両端部に合わせて、接着テープを切断するように構成したフィルム接合装置の側端部に、
上部フィルム切断刃部と下部フィルム切断刃部から成る一対のフィルム切断刃部材と、
前記上部フィルム切断刃部の側部に設けられた上部フィルム保持部と、
前記下部フィルム切断刃部の側部に設けられた下部フィルム保持部とを備えたフィルム切断装置を用いたフィルム切断方法であって、
前記フィルム切断方法が、
前記フィルムを前記一対のフィルム切断刃部材の間に載置する工程と、
前記上部フィルム切断刃部を前記下部フィルム切断刃部側に傾倒し前記フィルムを切断するとともに、前記フィルムの前記フィルム切断装置の外側に位置する切断部の上下面を前記上部フィルム保持部と前記下部フィルム保持部との間で挟持する工程と、
を有することを特徴とするフィルム切断方法。
【発明の詳細な説明】
【技術分野】
【０００１】
本発明は、フィルムの接合すべき端部同士を、接着テープによって相互に接合するために用いられるフィルム接合装置のフィルム切断装置およびフィルム切断方法に関する。
【背景技術】
【０００２】
従来より、フィルム、例えば、電子部品実装用フィルムキャリアテープ（ＴＡＢ（Ｔａｐｅ  Ａｕｔｏｍａｔｅｄ  Ｂｏｎｄｉｎｇ）テープ）、ＣＯＦ（Ｃｈｉｐ  ＯＮ  Ｆｉｌｍ）テープ、ＢＧＡ(Ｂａｌｌ  Ｇｒｉｄ  Ａｒｒａｙ)テープ、ＣＳＰ（Ｃｈｉｐ  Ｓｉｚｅ  Ｐａｃｋａｇｅ）テープ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）テープなど（以下、単に「フィルムキャリアテープ」と言う。）に対して、フィルムキャリアテープの接合すべき端部同士を、または、フィルムキャリアテープとリードテープの端部同士を、接着テープによって相互に接合することが行われている。
【０００３】
すなわち、フィルムキャリアテープは、その製造および検査の際に、通常、１ロットの長さが約１００ｍでリールに巻かれて製造されているが、ユーザ仕様によっては、２０〜４０ｍの長さのフィルムキャリアテープが要求される場合があるため、１ロットを、例えば、３つに切断して、その巻き始めと巻き終わりに、リードテープを接合して、リールに巻装することが行われている。
【０００４】
また、フィルムキャリアテープの製造の段階中で、不良部分が見つかった場合には、不良部分を切除した後、フィルムキャリアテープの端部同士を接合することが行われている。
【０００５】
いずれの場合にも、フィルムキャリアテープの端部同士を接着テープによって相互に接合しているが、このためのフィルム接合装置は、図７に示したようにフィルム接合装置のベース本体部１３０のベース本体１３２上に、接続されるフィルム１２０のスプロケット孔１２４に嵌入してフィルム１２０を固定する複数のスプロケット孔案内ピン１３４と、フィルム１２０の端部同士を接着する接着テープ１４０と、ベース本体１３２の側部にフィルム１２０を所定の位置で切断するフィルム切断装置１００と、接着テープ１４０をフィルム１２０の幅方向の両縁部に沿って切断する接着テープ切断刃（図示せず）と、接着テープ１４０にスプロケット孔１２４を穿孔するスプロケット孔穿孔刃（図示せず）が備えられている。
【０００６】
このようなフィルム接合装置は、通常、フィルム接合装置のベース本体１３２の基端部に上部接着テープ切断刃（図示せず）とスプロケット孔穿孔刃（図示せず）を軸支し、これらを傾倒させベース本体１３２に予め設けられたスプロケット孔穿孔用孔１３８にスプロケット孔穿孔刃（図示せず）を嵌入してスプロケット孔１２４を穿孔するとともに、上部接着テープ切断刃（図示せず）とベース本体１３２に設けられた下部接着テープ切断刃（図示せず）とを当接させることにより接着テープ１４０をフィルム１２０の幅に合わせて切断する。
【０００７】
また、ベース本体１３２に相対する位置に上部接着テープ切断刃（図示せず）とスプロケット孔穿孔刃（図示せず）とを備えた上下移動可能な上型（図示せず）を用意し、上型をベース本体１３２側に移動させることにより、上記と同様にスプロケット孔１２４を穿孔し、且つ接着テープ１４０を切断する方法が用いられている。
【０００８】
また、フィルム接合装置は、フィルム１２０の不良部分を切除するため、まず、ベース本体１３２上面のフィルム１２０の幅方向両縁部に設けられたスプロケット孔１２４に嵌合する位置に、予め複数のスプロケット孔案内ピン１３４が設けられ、このスプロケット孔案内ピン１３４にフィルム１２０のスプロケット孔１２４を嵌入させることにより、フィルム１２０が長尺方向及び幅方向に動かないよう固定する。
【０００９】
さらに、フィルム１２０は、一対のフィルム切断刃部材（上部フィルム切断刃部１０２、および下部フィルム切断刃部１０４）によってフィルム１２０の長尺方向に対して垂直に切断されることとなる。
【００１０】
また、切断されたフィルム１２０、１２０同士の接合は、上部フィルム切断刃部１０２を下部フィルム切断刃部１０４の固定位置に収納した状態で行い、この際、フィルム１２０の裏面がフィルム切断刃部材に接触しないよう、上部フィルム切断刃部１０２の側部にはフィルム幅よりも広い幅を有するテープ上乗せ治具１０６が設けられている。
【００１１】
さらに、テープ上乗せ治具１０６の上面には、ベース本体１３２の外側に位置するフィルム１２０の幅方向を保持するため、フィルム１２０とほぼ同幅のフィルム案内凹部１０８が設けられており、このようなフィルム接合装置が、従来より種々提案されている（例えば、特公平０６−０２６８５７号公報、特開２００２−１７８４１０号公報など参照）。
【特許文献１】特公平０６−０２６８５７号公報
【特許文献２】特開２００２−１７８４１０号公報
【発明の開示】
【発明が解決しようとする課題】
【００１２】
このような従来のフィルム接合装置は、図８に示したように一端を回動自在にベース本体１３２の側端部に固定した上部フィルム切断刃部１０２を操作して下方へ押し下げ、フィルム１２０を切断するよう構成されている。
【００１３】
この際、切り離されたフィルム１２０でベース本体１３２の外側の部分が、フィルム１２０の全長の途中であれば、ベース本体１３２の外側の部分のフィルム１２０の切断部１２２は、端部同士を接着テープ１４０によって接合する際の一端部となる。
【００１４】
しかしながら、切断された切断部１２２が自由になってしまうと、切断部１２２が作業台や床に垂れ、フィルム１２０の汚染、異物付着、折れ、インナーリード曲がり等を引き起こすという問題が発生していた。
【００１５】
また、このような問題を解決するため、フィルム接合装置の側端部に設けられたフィルム切断装置１００を使用する作業者が、切断されるフィルム１２０の切断部１２２を手で保持し、切断部１２２が作業台や床に垂れるのを防止する対策が採られていたが、作業者自身がフィルム１２０の切断部１２２を手で保持することによるインナーリード曲がり、異物付着、また切断部１２２の保持忘れが発生する等、上記の問題を解決するには到らなかった。
【００１６】
本発明は、このような現状に鑑み、フィルムを切断する際、フィルム接合装置の外側に位置するフィルムの切断部が自由になり、切断部が作業台や床に垂れるのを防止し、フィルムの汚染、異物付着、折れ、インナーリード曲がり等が発生することのないフィルム切断装置を提供することを目的とする。
【００１７】
さらに、フィルム切断装置を使用する作業者自身によるフィルムの切断部保持によるイ
ンナーリード曲がり、異物付着、また切断部の保持忘れが発生することのないフィルム切断装置を提供することを目的とする。
【課題を解決するための手段】
【００１８】
本発明は、前述したような従来技術における問題点を解決するために発明されたものであって、本発明のフィルム切断装置は、
フィルムの端部同士を突き合わせた状態で、前記フィルムの端部同士を接着テープで相互に接着するとともに、
前記フィルムのスプロケット孔に合わせて接着テープにスプロケット孔を穿孔し、
前記フィルムの幅方向両端部に合わせて、接着テープを切断するように構成したフィルム接合装置の側端部に備えられたフィルム切断装置であって、
前記フィルム切断装置が、
上部フィルム切断刃部と下部フィルム切断刃部から成る一対のフィルム切断刃部材と、
前記上部フィルム切断刃部の側部に設けられた上部フィルム保持部と、
前記下部フィルム切断刃部の側部に設けられた下部フィルム保持部とを備え、
前記フィルムを前記一対のフィルム切断刃部材で切断する際、前記フィルムの前記フィルム接合装置の外側に位置する切断部の上下面を前記上部フィルム保持部と前記下部フィルム保持部との間で挟持するよう構成されていることを特徴とする。
【００１９】
また、本発明のフィルム切断装置を用いたフィルム切断方法は、
フィルムの端部同士を突き合わせた状態で、前記フィルムの端部同士を接着テープで相互に接着するとともに、
前記フィルムのスプロケット孔に合わせて接着テープにスプロケット孔を穿孔し、
前記フィルムの幅方向両端部に合わせて、接着テープを切断するように構成したフィルム接合装置の側端部に、
上部フィルム切断刃部と下部フィルム切断刃部から成る一対のフィルム切断刃部材と、
前記上部フィルム切断刃部の側部に設けられた上部フィルム保持部と、
前記下部フィルム切断刃部の側部に設けられた下部フィルム保持部とを備えたフィルム切断装置を用いたフィルム切断方法であって、
前記フィルム切断方法が、
前記フィルムを前記一対のフィルム切断刃部材の間に載置する工程と、
前記上部フィルム切断刃部を前記下部フィルム切断刃部側に傾倒し前記フィルムを切断するとともに、前記フィルムの前記フィルム切断装置の外側に位置する切断部の上下面を前記上部フィルム保持部と前記下部フィルム保持部との間で挟持する工程と、
を有することを特徴とする。
【００２０】
このように構成することによって、フィルム切断装置によるフィルム切断の際に、フィルムのベース本体外側部分の切断部の上下面を上部フィルム保持部と下部フィルム保持部との間で挟持することができるため、ベース本体の外側に位置する切断部が自由になり、切断部が作業台や床に垂れるのを防止し、フィルムの汚染、異物付着、折れ、インナーリード曲がり等の発生を防止することができる。
【００２１】
さらに、フィルム切断装置を使用する作業者自身がフィルムの切断部を保持する必要がないため、インナーリード曲がり、異物付着を防止することができ、また作業者自身の不注意による切断部の保持忘れを防止することができる。
【００２２】
また、本発明のフィルム切断装置は、
フィルム接合作業の際には、前記上部フィルム切断刃部を下部フィルム切断刃部の固定位置に収納した状態で使用し、
前記フィルムの裏面が上部フィルム保持部の上面に載置されるように構成されているこ
とを特徴とする。
【００２３】
このように構成することによって、フィルムの接合作業の際にフィルムの下面が、収納された上部フィルム切断刃部と下部フィルム切断刃部の刃部分に接触することがない。
さらに上部フィルム保持部上面のフィルムと当接する部分が丸めてあれば、フィルムがフィルム接合装置のベース本体の外側部分に垂れ下がる部分が鋭利に屈曲することなく、なだらかに保持することができる。
【００２４】
また、本発明のフィルム切断装置は、
前記下部フィルム保持部が、
上下方向に位置調整可能に構成されていることを特徴とする。
【００２５】
また、本発明のフィルム切断装置は、
前記下部フィルム保持部に調整用長穴を設け、
前記調整用長穴を介して、
前記下部フィルム保持部を前記下部フィルム切断刃部に締結部材により、
上下方向に位置調整可能に装着されていることを特徴とする。
【００２６】
このように構成することによって、フィルム切断装置によるフィルム切断の際に、フィルムのベース本体の外側に位置する切断部の上下面を上部フィルム保持部と下部フィルム保持部との間で挟持する接触圧の加減を調整することができ、特にフィルムが電子部品実装用フィルムキャリアテープの場合には、電子部品実装用フィルムキャリアテープの上下面から無理な負荷をかける心配がないため、実装される電子部品の破損、インナーリード曲がりの発生を防止することができる。
【００２７】
また、下部フィルム保持部は、フィルムに対して上下方向での位置調整が必要であるため、調整用長穴はフィルム接合装置のベース本体に対して上下方向に設ければ良い。
このように下部フィルム保持部が、上下方向のみに位置調整可能であれば、フィルムが、上部フィルム保持部と下部フィルム保持部との間で、左右に擦れ動かされる心配がないため、フィルムに無理な負荷がかかることを防止することができる。
【００２８】
また、本発明のフィルム切断装置は、
前記上部フィルム保持部が、
上下方向に位置調整可能に構成されていることを特徴とする。
【００２９】
また、本発明のフィルム切断装置は、
前記上部フィルム保持部に調整用長穴を設け、
前記調整用長穴を介して、
前記上部フィルム保持部を前記上部フィルム切断刃部に締結部材により、
上下方向に位置調整可能に装着されていることを特徴とする。
【００３０】
このように構成することによって、フィルム切断装置によるフィルム切断の際に、フィルムのベース本体の外側に位置する切断部の上下面を上部フィルム保持部と下部フィルム保持部との間で挟持する接触圧の加減を調整することができ、特にフィルムが電子部品実装用フィルムキャリアテープの場合には、電子部品実装用フィルムキャリアテープの上下面から無理な負荷をかける心配がないため、実装される電子部品の破損、インナーリード曲がりの発生を防止することができる。
【００３１】
また、上部フィルム保持部は、フィルムに対して上下方向での位置調整が必要であるため、調整用長穴はフィルム切断装置のベース本体に対して上下方向に設ければ良い。
このように上部フィルム保持部が、上下方向のみの位置調整が可能であれば、フィルムが、上部フィルム保持部と下部フィルム保持部との間で、左右に擦れ動かされる心配がないため、フィルムに無理な負荷がかかることを防止することができる。
【００３２】
また、上部フィルム保持部だけでなく下部フィルム保持部にも調整用長穴を設け、上下のフィルム保持部でフィルムを挟持するよう構成すれば、より微妙な調整が可能である。
また、本発明のフィルム切断装置は、
前記下部フィルム保持部が、
付勢部材を介して前記上部フィルム保持部側に付勢されるよう前記フィルム接合装置に装着されていることを特徴とする。
【００３３】
このように構成することによって、下部フィルム保持部は、付勢部材によって上部フィルム保持部材側に付勢されるため、下部フィルム切断刃部と上部フィルム切断刃部との間で切断されると、ほぼ同時に下部フィルム保持部と上部フィルム保持部との間でフィルムを挟持し始めることが出来るため、切り離されたフィルムのうちベース本体の外側の部分が床や作業台に接触してしまうことを確実に防止することができる。
【００３４】
また、本発明のフィルム切断装置は、
前記上部フィルム保持部が、
付勢部材を介して前記下部フィルム保持部側に付勢されるよう前記上部フィルム切断刃部に装着されていることを特徴とする。
【００３５】
このように構成することによって、上部フィルム保持部は、付勢部材によって下部フィルム保持部材側に付勢されるため、上部フィルム切断刃部と下部フィルム切断刃部との間で切断されると、ほぼ同時に上部フィルム保持部と下部フィルム保持部との間でフィルムを挟持し始めることが出来るため、切り離されたフィルムのうちベース本体の外側の部分が床や作業台に接触してしまうことを確実に防止することができる。
【００３６】
また、本発明のフィルム切断装置は、
前記フィルムが、
電子部品実装用フィルムキャリアテープであることを特徴とする。
【００３７】
このように構成することによって、フィルム切断装置によって電子部品実装用フィルムキャリアテープを切断する際、フィルム接合装置のベース本体の外側の電子部品実装用フィルムキャリアテープの端部は、上部フィルム保持部と下部フィルム保持部との間で挟持されるため、電子部品実装用フィルムキャリアテープの端部が作業台や床に接触し、異物付着やインナーリード曲がりの発生を防止することができる。
【発明の効果】
【００３８】
本発明によれば、フィルム切断装置が、上部フィルム切断刃部と下部フィルム切断刃部から成る一対のフィルム切断刃部材と、上部フィルム切断刃部の側部に設けられた上部フィルム保持部と、下部フィルム切断刃部の側部に設けられた下部フィルム保持部とを備え、フィルムを一対のフィルム切断刃部材で切断する際に、フィルムのフィルム接合装置の外側に位置する切断部の上下面を上部フィルム保持部と前記下部フィルム保持部との間で挟持することによって、ベース本体の外側に位置する切断部が自由になり、切断部が作業台や床に垂れるのを防止しフィルムの汚染、異物付着、折れ、インナーリード曲がり等が発生することを防止するフィルム切断装置を提供することができる。
【００３９】
さらに、フィルム切断装置を使用する作業者自身によるフィルムの切断部保持によるインナーリード曲がり、異物付着、また切断部の保持忘れを防止するフィルム切断装置を提
供することができる。
【発明を実施するための最良の形態】
【００４０】
以下、本発明の実施の形態（実施例）を図面に基づいてより詳細に説明する。
図１は、本発明のフィルム切断装置を備えたフィルム接合装置のベース本体部の一例の要部概略斜視図、図２は、本発明のフィルム切断装置のフィルム切断状況を示した要部概略側面図、図３は、本発明のフィルム切断装置のフィルム切断状況を示した要部概略側面図である。
【００４１】
なお、本発明の実施例におけるフィルム切断装置を備えたフィルム接合装置は、長尺状のフィルム（例えば全長１００ｍ）を用い、その途中箇所（例えば５０ｍ付近）に発生して検査工程で発見された不良箇所を切断し、あるいはある長さでフィルムを切断し、再び切断された端部と端部とを接着テープで接合するために用いられるものである。
【００４２】
さらにフィルムは、不良部分と良品部分との境目を切断するため、切り離されたフィルムのうちベース本体の外側の部分は、不良部分として廃棄される場合と接着テープで接合する一端部である場合とがある。
【００４３】
本発明のフィルム切断装置を備えたフィルム接合装置では、切り離されたフィルムのうちベース本体の外側の部分が、不良部分として廃棄される場合と接着テープで接合する一端部である場合のどちらであっても使用可能であるが、特に切り離されたフィルムでベース本体の外側の部分が別の良フィルム部分と接着テープで接合する一端部である場合に特に効果が得られるものである。
【００４４】
図１に示したように、１０は本発明のフィルム切断装置である。
このようなフィルム切断装置１０は、フィルム接合装置の側端部に設けられており、フィルム接合装置でフィルム３０同士を接着テープ５０にて接合するためのフィルム３０を、所定の位置で切断するために用いられるものである。
【００４５】
このようなフィルム切断装置１０を備えるフィルム接合装置は、フィルム接合装置のベース本体部４０のベース本体４２上に、接続されるフィルム３０のスプロケット孔３４に嵌入してフィルム３０を固定するスプロケット孔案内ピン４４と、フィルム３０の端部同士を接着する接着テープ５０と、ベース本体４２の側部にフィルム３０を所定の位置で切断するフィルム切断装置１０と、接着テープ５０をフィルム３０の幅方向の両縁部に沿って切断する接着テープ切断刃（図示せず）と、接着テープ５０にスプロケット孔３４を穿孔するスプロケット孔穿孔刃（図示せず）から構成されている。
【００４６】
また、フィルム接合装置におけるフィルム切断方法は、図２に示したように、予め上部フィルム切断刃部１２をピボット軸２２を中心に上に持ち上げた状態で、接合すべき一方のフィルム３０のスプロケット孔３４をベース本体４２のスプロケット孔案内ピン４４に嵌合させて位置合わせをして、ベース本体４２の右端部からフィルム３０の端部を突出させフィルム３０を切断する準備を行う。
【００４７】
さらに図３に示したように、上部フィルム切断刃部１２を下方向へ下げることによりフィルム３０は所定の位置で切断される。
この際、切断されたフィルム３０の切断部３２は、上部フィルム切断刃部１２の側部に固定された上部フィルム保持部１６と、下部フィルム切断刃部１４の側部に固定された下部フィルム保持部１８との間で挟持され、作業台や床に接触し、フィルム３０に異物が付着しないように構成されている。
【００４８】
さらに、図示しないが下部フィルム保持部１８を固定するネジ孔部分を長穴化して固定位置を調整できるようにすれば、下部フィルム切断刃部１４に締結部材２４を介して固定する際に、長穴（図示せず）と締結部材２４との隙間内で下部フィルム保持部１８の位置が調整でき、切断されるフィルム３０の切断部３２を挟持する接触圧の加減を調整することができる。
【００４９】
このような長穴（図示せず）は、下部フィルム保持部１８に設けるだけでなく、上部フィルム保持部１６に設けても良く、また、下部フィルム保持部１８と上部フィルム保持部１６の両方に設けても良いため、フィルム３０の厚みやフィルム３０に実装される電子部品によって適宜設け、押圧具合を調整することができる。
【００５０】
また、上部フィルム切断刃部１２の側部に固定された上部フィルム保持部１６は、フィルム接合の際に上面がテープ上乗せ治具の役割をなし、上部フィルム保持部１６の上面には、フィルム３０とほぼ同幅のフィルム案内凹部２０が設けられており、ベース本体４２の外側に位置するフィルム３０の幅方向を保持するよう構成されているため、フィルム３０同士を接合する際には、フィルム３０の端部裏面が上部フィルム切断刃部１２に接触せず、さらにフィルム３０のベース本体４２の外側部分に垂れ下がる部分が鋭利に屈曲することなく、なだらかに保持することができる。
【００５１】
このような上部フィルム保持部１６と下部フィルム保持部１８の幅としては、上部フィルム保持部１６と下部フィルム保持部１８との間でフィルム３０を挟持し、さらに上部フィルム保持部１６の上面をテープ上乗せ治具として使用する状況を鑑みれば、フィルム３０幅の１．０倍〜１．５倍程度であれば好適にフィルム３０を挟持し、且つフィルム３０の幅方向を保持することができる。
【００５２】
このように、構成される本発明のフィルム切断装置１０を備えるフィルム接合装置を用いフィルム３０同士を接合すれば確実に且つ精度良くフィルム３０を接合することが可能である。
【００５３】
図４は本発明のフィルム切断装置１０のフィルム切断方法の他の実施例を示したものである。
図４のフィルム切断方法は、基本的には、図２または図３に示した実施例のフィルム切断装置１０と同じ構成であるので、同じ構成部材には、同じ参照番号を付してその詳細な説明を省略する。
【００５４】
このようなフィルム切断装置１０は、上部フィルム切断刃部１２の側部に締結部材２４を介して付勢部材保持部２６を固定し、さらに上部フィルム保持部１６を付勢部材２８を介して付勢部材保持部２６に固定することにより、上部フィルム保持部１６が下部フィルム保持部１８側に例えば５０〜２００ｇの力で付勢されるよう装着されている。
【００５５】
さらに、上部フィルム切断刃部１２をピボット軸２２を中心として押し下げていくと、フィルム３０は切断され上部フィルム保持部１６と下部フィルム保持部１８との間で挟持されることとなる。
【００５６】
この際、上部フィルム保持部１６は付勢部材２８により、予めフィルム３０の方に付勢されているため、切断されたフィルム３０の切断部３２を確実でしかも上部フィルム保持部１６へ付勢された程度の接触圧で挟持することができ、フィルム３０を過大な接触圧で挟持することがなく、実装されている電子部品のインナーリード曲がり等の発生をより減少させることができる。
【００５７】
図５は本発明のフィルム切断装置１０のフィルム切断方法の他の実施例を示したものである。
図５のフィルム切断方法は、基本的には、図２または図３に示した実施例のフィルム切断装置１０と同じ構成であるので、同じ構成部材には、同じ参照番号を付してその詳細な説明を省略する。
【００５８】
このようなフィルム切断装置１０は、ベース本体４２と下部フィルム保持部１８との間に付勢部材２８を設け、下部フィルム保持部１８を付勢部材２８を介してベース本体４２に固定することにより、下部フィルム保持部１８が上部フィルム保持部１６側に例えば５０〜２００ｇの力で付勢されるよう装着されている。
【００５９】
さらに、上部フィルム切断刃部１２をピボット軸２２を中心に押し下げていくと、フィルム３０は切断され上部フィルム保持部１６と下部フィルム保持部１８との間で挟持されることとなる。
【００６０】
このようなフィルム切断方法は、図４に示したようなフィルム切断装置１０と同様、切断されたフィルム３０の切断部３２を確実でしかも下部フィルム保持部１８へ付勢された程度の接触圧で挟持することができ、フィルム３０を過大な接触圧で挟持することがなく、実装されている電子部品のインナーリード曲がり等の発生をより減少させることができる。
【００６１】
図６は本発明のフィルム切断装置１０のフィルム切断方法の他の実施例を示したものである。
図６のフィルム切断方法は、基本的には、図２または図３に示した実施例のフィルム切断装置１０と同じ構成であるので、同じ構成部材には、同じ参照番号を付してその詳細な説明を省略する。
【００６２】
このようなフィルム切断装置１０は、上部フィルム切断刃部１２の側部に締結部材２４を介して付勢部材保持部２６を固定し、さらに上部フィルム保持部１６を付勢部材２８を介して付勢部材保持部２６に固定することにより、上部フィルム保持部１６が下部フィルム保持部１８側に例えば５０〜２００ｇの力で付勢されるよう装着されている。
【００６３】
また、ベース本体４２と下部フィルム保持部１８との間に付勢部材２８を設け、下部フィルム保持部１８を付勢部材２８を介してベース本体４２に固定することにより、下部フィルム保持部１８が上部フィルム保持部１６側に例えば５０〜２００ｇの力で付勢されるよう装着されている。
【００６４】
さらに、上部フィルム切断刃部１２をピボット軸２２を中心に押し下げていくと、フィルム３０は切断され上部フィルム保持部１６と下部フィルム保持部１８との間で挟持されることとなる。
【００６５】
このように、上部フィルム保持部１６と下部フィルム保持部１８の両方が互いに付勢部材２８によって付勢されていれば、切断されたフィルム３０の切断部３２を確実でしかも上部フィルム保持部１６へ付勢された程度の接触圧ないしは、下部フィルム保持部１８へ付勢された程度の接触圧で挟持することができ、フィルム３０を過大な接触圧で挟持することがなく、実装されている電子部品のインナーリード曲がり等の発生をより減少させることができる。
【００６６】
また、このような上部フィルム保持部１６、下部フィルム保持部１８の材質としては、上部フィルム保持部１６と下部フィルム保持部１８の間でフィルムキャリアテープを挟持
することを考慮すれば、フィルムに傷や凹みを生ずることなく、異物の発生、発塵を生ずることの無い耐磨耗性に優れた材質を用いることができる。
【００６７】
具体的には、ＭＣナイロン（登録商標  ポリアミド樹脂）を用いると良いが、これに限定されることはなく、その他にも前述の条件を満たす材質として、鉄、ステンレス、ゴム材、樹脂材などを用いれば、好適にフィルムを挟持することができるため、フィルムの切断部が作業台や床に接触して異物が付着することを防止することができる。
【００６８】
さらに、付勢部材２８の材質としては、バネ性またはクッション性を有し、異物の発生、発塵を生ずることの無い耐磨耗性に優れた材質を用いることができ、例えば、ステンレス製バネ、樹脂製バネ、樹脂製シート、ゴム製シートなどを用いれば、好適に上部フィルム保持部、下部フィルム保持部を付勢することができるため、フィルムの切断部が作業台や床に接触して異物が付着することを防止することができる。
【００６９】
このように、上記実施例では、本発明のフィルム切断装置の一例を示したが、本発明は何らこれに限定されるものではなく、上記実施例では、電子部品実装用フィルムキャリアテープ同士を接続する場合に適用したが、電子部品実装用フィルムキャリアテープとリードテープを接合する場合にも、また、その他の映写フィルムなどのフィルムの接合の際にも用いることも可能であり、さらには、上下金型によるフィルム接合方式、片面接合方式にも適用できるなど本発明の目的を逸脱しない範囲での利用または変更が可能である。
【図面の簡単な説明】
【００７０】
【図１】図１は、本発明のフィルム切断装置を備えたフィルム接合装置のベース本体部の要部概略斜視図である。
【図２】図２は、本発明のフィルム切断装置のフィルム切断状況を示した要部概略側面図である。
【図３】図３は、本発明のフィルム切断装置のフィルム切断状況を示した要部概略側面図である。
【図４】図４は、本発明のフィルム切断装置の他の実施例を説明する要部概略側面図である。
【図５】図５は、本発明のフィルム切断装置の他の実施例を説明する要部概略側面図である。
【図６】図６は、本発明のフィルム切断装置の他の実施例を説明する要部概略側面図である。
【図７】図７は、従来のフィルム切断装置を説明する要部概略斜視図である。
【図８】図８は、従来のフィルム切断装置を説明する要部概略側面図である。
【符号の説明】
【００７１】
１０    フィルム切断装置
１２    上部フィルム切断刃部
１４    下部フィルム切断刃部
１６    上部フィルム保持部
１８    下部フィルム保持部
２０    フィルム案内凹部
２２    ピボット軸
２４    締結部材
２６    付勢部材保持部
２８    付勢部材
３０    フィルム
３２    切断部
３４    スプロケット孔
４０    フィルム接合装置のベース本体部
４２    ベース本体
４４    スプロケット孔案内ピン
４６    フィルム接合ダイス
４８    スプロケット孔穿孔用孔
５０    接着テープ
１００    フィルム切断装置
１０２    上部フィルム切断刃部
１０４    下部フィルム切断刃部
１０６    テープ上乗せ治具
１０８    フィルム案内凹部
１１２    ピボット軸
１２０    フィルム
１２２    切断部
１２４    スプロケット孔
１３０    フィルム接合装置のベース本体部
１３２    ベース本体
１３４    スプロケット孔案内ピン
１３６    フィルム接合ダイス
１３８    スプロケット孔穿孔用孔
１４０    接着テープ
【図１】
2006192517.tif 000003
【図２】
2006192517.tif 000004
【図３】
2006192517.tif 000005
【図４】
2006192517.tif 000006
【図５】
2006192517.tif 000007
【図６】
2006192517.tif 000008
【図７】
2006192517.tif 000009
【図８】
2006192517.tif 000010